(57)【要約】【課題】施解錠の状態を視覚によらずに判別することができる施解錠判別キーを提供する。【解決手段】施解錠判別キーは、第一の面を有するケースと、第二の面を有し、かつ、前記ケースに対して相対移動可能なスイッチ１４と、を備える。また、スイッチ１４は、前記第二の面が前記ケースの前記第一の面よりも没入した状態となる第一の位置、前記第二の面が前記ケースの前記第一の面と面一になる第二の位置、および、前記第二の面が前記ケースの前記第一の面よりも突出した状態となる第三の位置、のうちの少なくとも２つの位置において固定可能に構成されるとともに、前記施解錠判別キーが施錠状態である場合に前記２つの位置のうちの一方の位置に固定され、前記施解錠判別キーが解錠状態である場合に前記２つの位置のうちの他方の位置に固定される。【選択図】図８
2015010356.tif 000002
【特許請求の範囲】
【請求項１】
第一の面を有するベース部材と、
第二の面を有し、かつ、前記ベース部材に対して相対移動可能な可動部材と、を備えた施解錠判別キーにおいて、
前記可動部材は、前記第二の面が前記ベース部材の前記第一の面よりも没入した状態となる第一の位置、前記第二の面が前記ベース部材の前記第一の面と面一になる第二の位置、および、前記第二の面が前記ベース部材の前記第一の面よりも突出した状態となる第三の位置、のうちの少なくとも２つの位置において固定可能に構成され、
前記可動部材は、前記施解錠判別キーが施錠状態である場合に前記２つの位置のうちの一方の位置に固定され、前記施解錠判別キーが解錠状態である場合に前記２つの位置のうちの他方の位置に固定される、
ことを特徴とする施解錠判別キー。
【請求項２】
請求項１に記載の施解錠判別キーにおいて、
前記可動部材は、前記施解錠判別キーが前記施錠状態または前記解錠状態である場合に前記第二の位置において固定されることで、前記第二の面が前記ベース部材の前記第一の面と面一になる、
ことを特徴とする施解錠判別キー。
【請求項３】
請求項１または２に記載の施解錠判別キーにおいて、
前記ベース部材は、一体または別体に設けられた２つの突出部を有し、
前記可動部材は、前記２つの突出部に挟まれた位置に配置されている、
ことを特徴とする施解錠判別キー。
【請求項４】
請求項１〜３のいずれかに記載の施解錠判別キーにおいて、
前記可動部材を一方向に付勢する付勢部材を有し、
前記付勢部材は、前記可動部材の軸心上に配設されている、
ことを特徴とする施解錠判別キー。
【請求項５】
請求項１〜４のいずれかに記載の施解錠判別キーにおいて、
前記ベース部材の内部に収容され、前記ベース部材の回転角度に応じて重力により移動可能な移動体と、
前記移動体の移動範囲を制限するとともに前記ベース部材の回転角度に応じて前記移動体が移動可能な第一の領域および第二の領域を少なくとも備えるガイドと、を有し、
前記可動部材は、前記移動体が前記第一の領域に移動することで前記ガイドへの進入が可能となり前記２つの位置のうちの一方の位置で固定される一方で、前記移動体が前記第二の領域に移動することで前記ガイドへの進入が阻止され前記２つの位置のうちの他方の位置で固定される、
ことを特徴とする施解錠判別キー。
【発明の詳細な説明】
【技術分野】
【０００１】
本発明は、施解錠の状態を判別することが可能な施解錠判別キーに関する。
【背景技術】
【０００２】
従来、施解錠の状態を判別することが可能なキーとして、例えば、鍵ブランクを錠前に挿入することにより錠前側に当接して前記鍵ブランクの長手方向にスライドするスライド部材と、該スライド部材のスライド位置を握り部の回転方向の操作に応じて異なる位置に固定するロック機構と、前記スライド部材のスライド位置を判断する位置判断手段と、を有する施解錠表示キーが提案されている（例えば、特許文献１参照）。
【先行技術文献】
【特許文献】
【０００３】
【特許文献１】特開２０１０−２０３１０５号公報
【発明の概要】
【発明が解決しようとする課題】
【０００４】
しかしながら、従来の施解錠表示キーは、色や文字などを用いて施解錠の状態を表示するものであるため、視力の弱い人や視覚に何らかの障害をもった人にとっては、使い勝手が悪く、施解錠の状態を正確に判別することが難しいといった問題点があった。また、夜間などにおいては、健常者であっても施解錠状態の識別が難しいといった問題点もあった。
【０００５】
本発明は、このような従来の問題点を解決するためになされたものであって、施解錠の状態を視覚によらずに判別することができる施解錠判別キーを提供することを目的とする。
【課題を解決するための手段】
【０００６】
（１）本発明は、第一の面を有するベース部材と、第二の面を有し、かつ、前記ベース部材に対して相対移動可能な可動部材と、を備えた施解錠判別キーにおいて、前記可動部材は、前記第二の面が前記ベース部材の前記第一の面よりも没入した状態となる第一の位置、前記第二の面が前記ベース部材の前記第一の面と面一になる第二の位置、および、前記第二の面が前記ベース部材の前記第一の面よりも突出した状態となる第三の位置、のうちの少なくとも２つの位置において固定可能に構成され、前記可動部材は、前記施解錠判別キーが施錠状態である場合に前記２つの位置のうちの一方の位置に固定され、前記施解錠判別キーが解錠状態である場合に前記２つの位置のうちの他方の位置に固定される、ことを特徴とする施解錠判別キーである。
【０００７】
（２）本発明はまた、上記（１）において、前記可動部材は、前記施解錠判別キーが前記施錠状態または前記解錠位置である場合に前記第二の位置において固定されることで、前記第二の面が前記ベース部材の前記第一の面と面一になる、ことを特徴とする施解錠判別キーである。
【０００８】
（３）本発明はまた、上記（１）または（２）において、前記ベース部材は、一体または別体に設けられた２つの突出部を有し、前記可動部材は、前記２つの突出部に挟まれた位置に配置されている、ことを特徴とする施解錠判別キーである。
【０００９】
（４）本発明はまた、上記（１）〜（３）において、前記可動部材を一方向に付勢する付勢部材を有し、前記付勢部材は、前記可動部材の軸心上に配設されている、ことを特徴とする施解錠判別キーである。
【００１０】
（５）本発明はまた、上記（１）〜（４）において、前記ベース部材の内部に収容され、前記ベース部材の回転角度に応じて重力により移動可能な移動体と、前記移動体の移動範囲を制限するとともに前記ベース部材の回転角度に応じて前記移動体が移動可能な第一の領域および第二の領域を少なくとも備えるガイドと、を有し、前記可動部材は、前記移動体が前記第一の領域に移動することで前記ガイドへの進入が可能となり前記２つの位置のうちの一方の位置で固定される一方で、前記移動体が前記第二の領域に移動することで前記ガイドへの進入が阻止され前記２つの位置のうちの他方の位置で固定される、ことを特徴とする施解錠判別キーである。
【発明の効果】
【００１１】
本発明に係る施解錠判別キーによれば、施解錠の状態を視覚によらずに判別することができる。
【図面の簡単な説明】
【００１２】
【図１】本発明の実施形態に係る施解錠判別キー１０の構成部材を分解して示す分解斜視図である。
【図２】（ａ）第１ケース１２ａを内面側から見た外観斜視図である。（ｂ）第２ケース１２ｂを内面側から見た外観斜視図である。
【図３】スイッチ１４を正面側から見た外観斜視図である。
【図４】（ａ）ボールガイド１６を正面側から見た外観斜視図である。（ｂ）ボールガイド１６を背面側から見た外観斜視図である。
【図５】スイッチ１４とボールガイド１６の位置関係を説明するための外観斜視図である。
【図６】スライダ１８を正面側から見た外観斜視図である。（ｂ）スライダ１８を背面側から見た外観斜視図である。
【図７】施解錠判別キー１０からボールガイド１６、スライダ１８、およびボール２０（２０ａ、２０ｂ）を抜き出して模式的に示した動作説明図である。
【図８】施解錠時におけるスイッチ１４、スライダ１８、およびボール２０の動きを説明するための動作説明図である。
【発明を実施するための形態】
【００１３】
以下、図面を用いて、本発明の実施形態に係る施解錠判別キーについて詳細に説明する。
【００１４】
＜全体構成＞
図１は、本発明の実施形態に係る施解錠判別キー１０の構成部材を分解して示す分解斜視図である。
【００１５】
本実施形態に係る施解錠判別キー１０は、第１ケース１２ａと第２ケース１２ｂを組み合わせて構成される箱状体のケース１２と、このケース１２内に収容されるとともにケース１２の長手方向（図１の矢印Ａ方向）にスライド可能な棒状体のスイッチ１４と、ケース１２内部に収容・固定されるボールガイド１６と、ケース１２内に収容されるとともにケース１２の短手方向（図１の矢印Ｂ方向）にスライド可能なスライダ１８と、このスライダ１８とボールガイド１６の間に配置される２個のボール２０と、ケース１２に着脱可能なキーブランク２２と、ケース１２上部に配設されるリングホール２４と、第１ケース１２ａと第２ケース１２ｂを固定するためのゴムリング２６と、を有して構成される。
【００１６】
＜ケース＞
次に、図２を用いて、ケース１２について説明する。なお、同図（ａ）は第１ケース１２ａを内面側から見た外観斜視図であり、同図（ｂ）は第２ケース１２ｂを内面側から見た外観斜視図である。
【００１７】
ケース１２は、第１ケース１２ａと第２ケース１２ｂの２つの部材によって構成される。同図（ａ）に示すように、第１ケース１２ａの内面には、第１ボールガイド収容部２６ａが形成され、同図（ｂ）に示すように、第２ケース１２ｂの内面には、第１ボールガイド収容部２６ａと対向する位置に、第２ボールガイド収容部２６ｂが形成されている。これらの第１ボールガイド収容部２６ａと第２ボールガイド収容部２６ｂによって、ケース１２のボールガイド収容部２６（２６ａ、２６ｂ）が構成される。
【００１８】
このケース１２のボールガイド収容部２６（２６ａ、２６ｂ）は、ボールガイド１６（図１参照）が収容可能な大きさの空間を有している。ボールガイド１６は、第１ボールガイド収容部２６ａと第２ボールガイド収容部２６ｂに挟まれた状態でケース１２に固定される。
【００１９】
このボールガイド収容部２６（２６ａ、２６ｂ）の下方には、同図（ａ）に示す第１ケース１２ａの内面に形成された第１スライダ収容部２８ａと、同図（ｂ）に示す第２ケース１２ｂの内面に形成された第２スライダ収容部２８ｂと、によって構成されるスライダ収容部２８（２８ａ、２８ｂ）が設けられている。このスライダ収容部２８（２８ａ、２８ｂ）は、スライダ１８（図１参照）が長手方向にスライド可能な大きさの空間を有している。スライダ１８は、第１スライダ収容部２８ａと第２スライダ収容部２８ｂによって規定される空間内に、長手方向にスライド可能に収容される。
【００２０】
このスライダ収容部２８（２８ａ、２８ｂ）の下方には、同図（ａ）に示す第１ケース１２ａの内面の２箇所に突出形成された第１スライダ支持部３０ａと、同図（ｂ）に示す第２ケース１２ｂの内面に突出形成された第２スライダ支持部３０ｂと、によって構成されるスライダ支持部３０（３０ａ、３０ｂ）が設けられている。このスライダ支持部３０（３０ａ、３０ｂ）は、スライダ収容部２８（２８ａ、２８ｂ）に収容されたスライダ１８を下方から支持するための部材である。
【００２１】
また、同図（ａ）に示すように、第１ケース１２ａには、上述の第１ボールガイド収容部２６ａ、第１スライダ収容部２８ａ、および第１スライダ支持部３０ａを分断して第１ケース１２ａの長手方向に延びる第１スイッチ収容部３２ａが形成されている。この第１スイッチ収容部３２ａには、スイッチ１４のアーム４２（図３参照）がスライド可能に収容される。
【００２２】
一方、同図（ｂ）に示すように、第２ケース１２ｂには、スイッチ１４のヘッド４４（図３参照）をスライド可能に収容するための第２スイッチ収容部３２ｂと、キーブランク２２を固定するためのキー固定部３５が形成されている。
【００２３】
また、同図（ａ）に示すように、第１ケース１２ａの幅方向両側には、第１ケース１２ａの外縁に沿って係合凸部３６が突出形成される一方で、同図（ｂ）に示すように、第２ケース１２ｂの幅方向両側には、第１ケース１２ａの係合凸部３６と相補的形状を有する係合凹部３８が、第２ケース１２ｂの外縁に沿って形成されている。第１ケース１２ａの係合凸部３６が、第２ケース１２ｂ係合凹部３８に嵌め込まれることによって、第１ケース１２ａと第２ケース１２ｂが一体化される。
【００２４】
また、第１ケース１２ａおよび第２ケース１２ｂの下方には、両側面から外面に亘って、ゴムリング２６を嵌め込むためのゴムリング用凹部４０が形成されている。さらに、第１ケース１２ａおよび第２ケース１２ｂの上部には、上方に突出された突出部４１が形成されている。
【００２５】
＜スイッチ＞
次に、図３を用いて、スイッチ１４について説明する。なお、同図は、スイッチ１４を正面側から見た外観斜視図である。
【００２６】
スイッチ１４は、棒状体のアーム４２と、このアーム４２の一端側に配設されたヘッド４４と、を有して構成されている。アーム４２は、ヘッド４４を基端として突出形成された薄肉板状体の薄肉部４２ａと、この薄肉部４２ａの一端側に一体形成された厚肉板状体の厚肉部４２ｂと、を有する。また、厚肉部４２ｂの先端部には、施解錠判別キー１０の使用時に、図示しない錠前に押しあてられる検知部４２ｂ１が形成されている。
【００２７】
また、ヘッド４４は、板状体のベース４４ａと、このベース４４ａの厚み方向一方側に突出形成された平面視コの字形状のキートップ４４ｂと、ベース４４ａの短手方向両側においてベース４４ａの厚み方向他方側に突出形成された一対の中央突起部４４ｃと、ボールガイド１６の貫通孔５０ａ、５２ａ（図４（ａ）、（ｂ）参照）に対応する位置においてベース４４ａの厚み方向他方側に突出形成された一対のボールセンス突起部４４ｄと、ベース４４ａの長手方向両側においてベース４４ａの厚み方向他方側に突出形成された一対の外縁突起部４４ｅと、を有して構成されている。
【００２８】
＜ボールガイド＞
次に、図４および図５を用いて、ボールガイド１６について説明する。なお、図４（ａ）は、ボールガイド１６を正面側から見た外観斜視図であり、同図（ｂ）は、ボールガイド１６を背面側から見た外観斜視図である。また、図５は、スイッチ１４とボールガイド１６の位置関係を説明するための外観斜視図である。
【００２９】
図４（ｂ）に示すように、ボールガイド１６の背面には、ボールガイド１６の略中央に位置する中央収容部４６と、この中央収容部４６に連通して四方に延びる第１収容部４８、第２収容部５０、第３収容部５２、および第４収容部５４と、が形成されている。
【００３０】
中央収容部４６の最小幅は、ボール２０の最大直径よりもやや大きく、中央収容部４６は、１個のボール２０が収容可能な程度の領域とされている。また、第１収容部４８、第２収容部５０、第３収容部５２、および第４収容部５４の各々の最小内径は、ボール２０の最大直径よりもやや大きく、第１収容部４８、第２収容部５０、第３収容部５２、および第４収容部５４の各々は、１個のボール２０を収容可能な程度の領域とされている。
【００３１】
図４および図５に示すように、中央収容部４６の幅方向両側には、スイッチ１４の中央突起部４４ｃと相補的形状を有し、中央突起部４４ｃが貫通可能な貫通孔４６ａが形成されている。また、第２収容部５０と第３収容部５２には、スイッチ１４のボールセンス突起部４４ｄと相補的形状を有し、ボールセンス突起部４４ｄが貫通可能な貫通孔５０ａ、５２ａがそれぞれ形成されている。また、ボールガイド１６の長手方向両側には、スイッチ１４のヘッド４４に突出形成された外縁突起部４４ｅが貫通可能な切欠き凹部５６が形成されている。
【００３２】
＜スライダ＞
次に、図６を用いて、スライダ１８について説明する。なお、同図（ａ）は、スライダ１８を正面側から見た外観斜視図であり、同図（ｂ）は、スライダ１８を背面側から見た外観斜視図である。
【００３３】
スライダ１８は、板状の部材であり、スライダ１８の長手方向両側には、壁部１８ａが突出形成されている。また、２つの壁部１８ａの間には、ボール２０の移動を規制するためのボール移動規制部１８ｂが、壁部１８ａから所定の距離を空けて２箇所に突出形成されている。また、スライダ１８の壁部１８ａとボール移動規制部１８ｂの間には、スイッチ１４の外縁突起部４４ｅ（図３参照）が係止可能な係止孔１８ｃが２箇所に形成されている。
【００３４】
＜施解錠判別キーの動作＞
次に、図７および図８を用いて、施解錠判別キー１０の動作について説明する。なお、図７は、施解錠判別キー１０からボールガイド１６、スライダ１８、およびボール２０（２０ａ、２０ｂ）を抜き出して模式的に示した動作説明図であり、図８は、施解錠時におけるスイッチ１４、スライダ１８、およびボール２０の動きを説明するための動作説明図である。
【００３５】
＜第一の状態＞
図７（ａ）および図８（ａ）は、スイッチ１４のキートップ４４ｂがケース１２の内方に没入している第一の状態（この例では、解錠状態）を示している。
【００３６】
この第一の状態では、図７（ａ）に示すように、一方のボール２０ａが、ボールガイド１６の中央収容部４６に収容され、他方のボール２０ｂが、ボールガイド１６の第４収容部５４に収容されている。また、中央収容部４６に収容されているボール２０ａは、スライダ１８のボール移動規制部１８ｂによって一方向（図７（ａ）の左方向）の移動が規制されるとともに、他方のボール２０ｂによって反対方向（図７（ａ）の右方向）の移動が規制されている。また、第４収容部５４に収容されているボール２０ｂは、スライダ１８のボール移動規制部１８ｂによって一方向（図７（ａ）の右方向）の移動が規制されるとともに、中央収容部４６に収容されているボール２０ａによって反対方向（図７（ａ）の左方向）の移動が規制されている。
【００３７】
このため、２個のボール２０ａ、２０ｂのいずれも、ボールガイド１６の第２収容部５０や第３収容部５２には移動することはできず、スイッチ１４のボールセンス突起部４４ｄの各々は、第２収容部５０の貫通孔５０ａと第３収容部５２の貫通孔５２ａにそれぞれ進入可能な状態となる。したがって、スイッチ１４が、バネ５６（図８参照）から受ける付勢力によってケース１２の外側（図８の下側）に向かってスライドすると、図７（ａ）に示すように、スイッチ１４のボールセンス突起部４４ｄの各々が、ボールガイド１６の貫通孔５０ａ、５２ａに進入するとともに、スイッチ１４の外縁突起部４４ｅの一方が、スライダ１８の係止孔１８ｃの一方に進入することになる。最終的に、スイッチ１４は、図８（ａ）に示すように、ベース４４ａの下面が、ボールガイド１６の上面に当接する位置までスライドし、スライダ１８の移動が規制された状態が維持される。
【００３８】
この第一の状態では、スイッチ１４の下端側の検知部４２ｂ１は、ケース１２から最も離れた位置まで移動し、スイッチ１４の上端側のキートップ４４ｂの上面は、ケース１２の突出部４１やリングホール２４の上面よりもケース１２方向に没入した位置まで移動する。このため、施解錠判別キー１０の使用者は、キートップ４４ｂの上面がケース１２の突出部４１やリングホール２４の上面よりもケース１２方向に没入しているか否かを触感で確認することにより、スイッチ１４が第一の状態（この例では、解錠状態）にあることを視覚によらずに容易に判別することができる。
【００３９】
また、この第一の状態では、スイッチ１４の検知部４２ｂ１を錠前に押し当ててスイッチ１４の外縁突起部４４ｅの一方を、スライダ１８の係止孔１８ｃから退出させない限り、スライダ１８の水平方向の移動規制は解除することはできない。このため、第一の状態の施解錠判別キー１０を動かしたり傾けたりした場合でも、第一の状態を確実に保持することができ、未使用時において、施解錠判別キー１０が第一の状態であるか否か（この例では、解錠状態であるか、そうでないか）を正確に伝えることができる。
【００４０】
なお、ここでは、第一の状態の一例として、一方のボール２０ａが、ボールガイド１６の中央収容部４６に収容され、他方のボール２０ｂが、ボールガイド１６の第４収容部５４に収容されている例を示したが、一方のボール２０ａが、ボールガイド１６の中央収容部４６に収容され、他方のボール２０ｂが、ボールガイド１６の第１収容部５４に収容されている場合も事情は同じである。
【００４１】
＜第一の状態→第二の状態＞
図７（ｂ）、（ｃ）および図８（ｂ）〜（ｄ）は、スイッチ１４のキートップ４４ｂが上述の第一の状態（この例では、解錠状態）から第二の状態（この例では、施錠状態）に変化する様子を示している。
【００４２】
第一の状態にある施解錠判別キー１０のキーブランク２２を鍵穴に挿し込み、スイッチ１４の検知部４２ｂ１を錠前に押し付けた場合、図８（ｂ）に示すように、スイッチ１４は、バネ５６の付勢力に逆らってケース１２の内方にスライドする。このスイッチ１４のスライドにより、スイッチ１４の外縁突起部４４ｅがスライダ１８の係止孔１８ｃから退出するため、スライダ１８の水平方向の移動規制が解除され、スライダ１８は水平方向に移動可能な状態となる。また、同時に、スイッチ１４のボールセンス突起部４４ｄの各々も、ボールガイド１６の貫通孔５０ａ、５２ａから退出するため、２個のボール２０ａ、２０ｂは、スライダ１８のスライドに伴ってボールガイド１６内を移動可能な状態となる。
【００４３】
錠前を解錠状態から施錠状態にするために、この状態から施解錠判別キー１０を左回り（図７において反時計周り）に９０°回転させると、図７(ｂ) および図８（ｃ）に示すように、スライダ１８は、重力（自重）により長手方向にスライドし、２個のボール２０ａ、２０ｂは、スライダ１８のボール移動規制部１８ｂに押圧され、ボールガイド１６の第２収容部５０と中央収容部４６にそれぞれ移動する。
【００４４】
次に、錠前からキーブランク２２を引き抜くために、施解錠判別キー１０を右回り（図７において時計周り）に９０°回転して水平に戻し、キーブランク２２を錠前から引き抜くと、図７(ｃ)および図８（ｄ）に示すように、一方のボール２０ａが第２収容部５０に収容され、かつ、他方のボール２０ｂが中央収容部４６に収容された状態で、スイッチ１４が、バネ５６の付勢力によりケース１２の外側に向かってスライドする。
【００４５】
しかしながら、一方のボール２０ｂが中央収容部４６に収容され、かつ、他方のボール２０ａが第２収容部５０に収容されている状態では、スイッチ１４のボールセンス突起部４４ｄは、ボール２０ｂによって移動が規制され、ボールガイド１６の貫通孔５０ａに進入することができない。これにより、図８（ｄ）に示すように、キートップ４４ｂの上面は、ケース１２の突出部４１やリングホール２４の上面と面一（フラット）の状態に維持される。このため、施解錠判別キー１０の使用者は、キートップ４４ｂの上面がケース１２の突出部４１やリングホール２４の上面と面一になっているか否かを触感で確認することにより、スイッチ１４が第二の状態（この例では、施錠状態）にあることを視覚によらずに容易に判別することができる。
【００４６】
また、スイッチ１４の検知部４２ｂ１を錠前に押し当ててスイッチ１４の外縁突起部４４ｅの一方を、スライダ１８の係止孔１８ｃから退出させない限り、スライダ１８の水平方向の移動規制は解除することはできない。このため、第二の状態の施解錠判別キー１０を動かしたり傾けたりした場合でも、第二の状態を確実に保持することができ、未使用時において、施解錠判別キー１０が第二の状態であるか否か（この例では、施錠状態であるか、そうでないか）を正確に伝えることができる。
【００４７】
なお、ここでは、第二の状態の一例として、一方のボール２０ｂが、ボールガイド１６の中央収容部４６に収容され、他方のボール２０ａが、ボールガイド１６の第２収容部５０に収容されている例を示したが、一方のボール２０ｂが、ボールガイド１６の中央収容部４６に収容され、他方のボール２０ａが、ボールガイド１６の第３収容部５２に収容されている場合も事情は同じである。また、ここでは、第一の状態を解錠状態、第二の状態を施錠状態として説明したが、第一の状態が施錠状態、第二の状態が解錠状態であってもよい。
【００４８】
以上説明したように、本実施形態に係る施解錠判別キー１０は、第一の面（例えば、ケース１２の突出部４１の上面、リングホール２４の上面）を有するベース部材（例えば、ケース１２）と、第二の面（例えば、キートップ４４ｂの上面）を有し、かつ、前記ベース部材に対して相対移動可能な可動部材（例えば、スイッチ１４）と、を備えた施解錠判別キーにおいて、前記可動部材は、前記第二の面が前記ベース部材の前記第一の面よりも没入した状態となる第一の位置（例えば、図８（ａ）に示す位置）、前記第二の面が前記ベース部材の前記第一の面と面一になる第二の位置（例えば、図８（ｄ）に示す位置）、および、前記第二の面が前記ベース部材の前記第一の面よりも突出した状態となる第三の位置（例えば、図８（ｂ）、（ｃ）に示す位置）、のうちの少なくとも２つの位置（例えば、第一の位置と第二の位置）において固定可能に構成され、前記可動部材は、前記施解錠判別キーが施錠状態である場合に前記２つの位置のうちの一方の位置（例えば、第二の位置）に固定され、前記施解錠判別キーが解錠状態である場合に前記２つの位置のうちの他方の位置（例えば、第一の位置）に固定される、ことを特徴とする施解錠判別キーである。
【００４９】
本実施形態に係る施解錠判別キー１０によれば、可動部材が２つの位置のうちの一方の位置にあるか他方の位置にあるか、を触感で判別することができるため、施解錠状態を視覚によらずに判別することができる。このため、視力の弱い人や視覚に何らかの障害をもった人であっても、施解錠状態を確実に判別することができる。また、従来の施解錠表示キーでは、健常者であっても夜間などにおいては施解錠状態の識別が困難であったが、本実施形態に係る施解錠判別キー１０では、視覚に加えて触感で判別することができるために、従来よりも利便性を高めることができる。
【００５０】
また、前記可動部材は、前記施解錠判別キーが前記施錠状態または前記解錠状態である場合に前記第二の位置において固定されることで、前記第二の面が前記ベース部材の前記第一の面と面一になるものでもよい。
【００５１】
このような構成とすれば、ベース部材の第一の面と可動部材の第二の面が面一になったかどうかで施解錠状態を判別することができるため、利便性をさらに高めることができる。
【００５２】
また、前記ベース部材は、一体または別体に設けられた２つの突出部（例えば、ケース１２の突出部４１と、リングホール２４）を有し、前記可動部材は、前記２つの突出部に挟まれた位置に配置されていてもよい。
【００５３】
このような構成とすれば、施解錠判別キーを持ち運びするような場合に、誤って可動部材を動かしてしまい、ベース部材の第一の面と可動部材の第二の面の相対位置が変わってしまうような誤操作を未然に防ぐことができ、正確な施解錠状態を維持することができる。
【００５４】
また、前記可動部材を一方向に付勢する付勢部材（例えば、バネ５６）を有し、前記付勢部材は、前記可動部材の軸心上に配設されていてもよい。
【００５５】
このような構成とすれば、可動部材をより円滑に移動させることができ、操作性を高めることができる。
【００５６】
また、前記ベース部材の内部に収容され、前記ベース部材の回転角度に応じて重力により移動可能な移動体（例えば、ボール２０）と、前記移動体の移動範囲を制限するとともに前記ベース部材の回転角度に応じて前記移動体が移動可能な第一の領域（例えば、第２収容部５０、第３収容部５２）および第二の領域（例えば、第１収容部４８、第４収容部５４）を少なくとも備えるガイド（例えば、ボールガイド１８）と、を有し、前記可動部材は、前記移動体が前記第一の領域に移動することで前記ガイドへの進入が可能となり前記２つの位置のうちの一方の位置で固定される一方で、前記移動体が前記第二の領域に移動することで前記ガイドへの進入が阻止され前記２つの位置のうちの他方の位置で固定されるものでもよい。
【００５７】
このような構成とすれば、簡素な構造でありながら、同時に、施解錠操作に応じて可動部材を適切な位置に固定することができる。
【００５８】
なお、本発明に係る施解錠判別キーの構成は、上記実施形態に係る施解錠判別キー１０の構成に限定されるものではなく、例えば、施解錠判別キー１０が解錠状態の場合にキートップ４４ｂの上面が、ケース１２の突出部４１やリングホール２４の上面よりも没入した状態となる位置に固定され、施解錠判別キー１０が施錠状態の場合にキートップ４４ｂの上面が、ケース１２の突出部４１やリングホール２４の上面と面一になる位置に固定される例を示したが、これに限定されるものではない。
【００５９】
すなわち、本発明に係る「可動部材」は、第二の面がベース部材の第一の面よりも没入した状態となる第一の位置、前記第二の面が前記ベース部材の前記第一の面と面一になる第二の位置、および、前記第二の面が前記ベース部材の前記第一の面よりも突出した状態となる第三の位置、のうちの少なくとも２つの位置において固定可能に構成されるとともに、施解錠判別キーが施錠状態である場合に前記２つの位置のうちの一方の位置に固定され、前記施解錠判別キーが解錠状態である場合に前記２つの位置のうちの他方の位置に固定されるものであればよい。
【００６０】
また、ヘッド４４の没入方向や突出方向は特に限定されず、例えば、ケースの幅方向や厚み方向に没入または突出するように構成してもよい。すなわち、ヘッドがケース内に没入しているか否か、ケースから突出しているか否かなどを触感で判別できればよい。
【００６１】
また、ヘッドとアームを単一の部材で構成したが、両者は別体でもよい。また、別体にした場合に、アームが錠前から受ける動力を、歯車などの動力伝達部材を介してヘッドに伝達し、ヘッドをスライドさせてもよい。
【００６２】
また、本発明に係る「移動体」の形状は球体に限定されず、ケース内に収容され、ケースの回転角度に応じて重力により移動可能なものであればよい。また、「移動体」の数も２つに限定されるものではない。
【００６３】
また、本発明の実施の形態に記載された作用および効果は、本発明から生じる最も好適な作用および効果を列挙したに過ぎず、本発明による作用および効果は、本発明の実施の形態に記載されたものに限定されるものではない。また、実施例に記載した複数の構成のうち、１つの構成に記載している内容を、他の構成に適用することで、より良い効果が得られる場合がある。
【符号の説明】
【００６４】
１０  施解錠判別キー
１２  ケース
１４  スイッチ
１６  ボールガイド
１８  スライダ
１８ｂ  ボール移動規制部
１８ｃ  係止孔
２０  ボール
２２  キーブランク
２４  リングホール
２６  ゴムリング
２６ａ、２６ｂ  ボールガイド収容部
２８ａ、２８ｂ  スライダ収容部
３０ａ、３０ｂ  スライダ支持部
３２ａ、３２ｂ  スイッチ収容部
４０  ゴムリング用凹部
４２  アーム
４２ｂ１  係合突起
４４  ヘッド
４４ａ  ベース
４４ｂ  キートップ
４４ｃ  中央突起部
４４ｄ  ボールセンス突起部
４４ｅ  外縁突起部
４６  中央収容部
４８  第１収容部
５０  第２収容部
５０ａ  貫通孔
５２  第３収容部
５２ａ  貫通孔
５４  第４収容部
５６  バネ
【図１】
2015010356.tif 000003
【図２】
2015010356.tif 000004
【図３】
2015010356.tif 000005
【図４】
2015010356.tif 000006
【図５】
2015010356.tif 000007
【図６】
2015010356.tif 000008
【図７】
2015010356.tif 000009
【図８】
2015010356.tif 000010